(57)【要約】【課題】端末装置を用いた投票をより容易に行えるようにするための技術を提供する。【解決手段】携帯電話機１１のユーザは、投票を行うためのアプリケーション・プログラムであるアプリをＷｅｂサーバ１４上のホームページ１４ａからダウンロードする。そのアプリは、項目毎に選択可能な選択肢を提示してユーザに選択させることにより投票内容を入力させる。ユーザが入力した投票内容は、自動発売機１３、或いは投票Ｗｅｂサーバ１２に送信することで投票を行う。【選択図】      図１
2004246428.tif 000002
【特許請求の範囲】
【請求項１】
競馬や競輪等のレース競技のレース結果に対する投票を行える端末装置において、
前記投票の投票内容を指定するうえで定められた項目の選択肢を項目別に提示する選択肢提示手段と、
前記選択肢提示手段が項目別に提示する選択肢のなかから所望の選択肢をユーザに選択させる選択手段と、
前記選択手段により各項目で選択された選択肢を前記投票内容として前記投票を行う投票手段と、
を具備することを特徴とする端末装置。
【請求項２】
前記選択肢提示手段は、前記選択手段により既に選択された項目の選択肢を基に、提示すべき選択肢を前記項目毎に特定して提示する、
ことを特徴とする請求項１記載の端末装置。
【請求項３】
前記選択肢提示手段は、開催される前記レース競技の投票に係わる開催情報を基に、提示すべき選択肢を前記項目毎に特定して提示する、
ことを特徴とする請求項１、または２記載の端末装置。
【請求項４】
前記選択肢提示手段が選択肢を提示する項目として、少なくとも賭式を含む、
ことを特徴とする請求項１、２、または３記載の端末装置。
【請求項５】
競馬や競輪等のレース競技のレース結果に対する投票を端末装置に行わせるために実行させるプログラムであって、
前記投票の投票内容を指定するうえで定められた項目の選択肢を項目別に提示する機能と、
前記提示する機能により項目別に提示する選択肢のなかから所望の選択肢をユーザに選択させる機能と、
前記選択させる機能により各項目で選択された選択肢を前記投票内容として前記投票を行う機能と、
を実現させるためのプログラム。
【発明の詳細な説明】
【０００１】
【発明の属する技術分野】
本発明は、競馬や競輪等のレース競技のレース結果に対する投票を端末装置により行うための技術に関する。
【０００２】
【従来の技術】
競馬や競輪、競艇、及びオートレースに代表されるレース競技は、娯楽の一つとして広く楽しまれている。そのような競技では、レース結果を予想して投票券を購入できるようになっている。それにより、賭けの対象として楽しむ人も多く存在する。
【０００３】
これまで投票券の購入は、投票用の投票カードに、賭式、その賭式で勝ちと予想するレース結果、及び投票額を記入して行うようになっていた。しかし、現在では、会員として登録することにより、携帯電話機やパーソナルコンピュータ（ＰＣ）などの端末装置から通信ネットワークを介してキャッシュレスで投票を行えるようになっている。
【０００４】
端末装置での投票は、例えば以下のようにして行われる。図１４〜図１６を参照して具体的に説明する。ここでの説明では、投票は勝馬投票券を購入するために行われることを前提とする。
【０００５】
図１４は、端末装置を用いて行われる投票のための仕組みを説明する図である。その図１４において、１４０１は端末装置である携帯電話機、１４０２は投票を行えるホームページを有する投票Ｗｅｂサーバである。それらは、携帯電話網、及びインターネットを介して接続される。
【０００６】
図１５は、携帯電話機１４０１を投票Ｗｅｂサーバ１４０２にアクセスさせた場合に表示される画面の遷移を説明する図である。図１６は、その場合に、携帯電話機１４０１のユーザが行う操作フロー、及びその操作フローによって投票Ｗｅｂサーバ１４０２が実行する処理フローを示す図である。図１５、及び図１６を参照しつつ、投票のためにユーザが行う操作、その操作による携帯電話機１４０１、及びＷｅｂサーバ１４０２の動作について詳細に説明する。
【０００７】
ユーザが携帯電話機１４０１をＷｅｂサーバ１４０２にアクセスさせると、Ｗｅｂサーバ１４０２は、会員番号とパスワードの入力を求める認証画面を携帯電話機１４０１に送信する。それにより、携帯電話機１４０１から送信される会員番号、パスワードからそのユーザの認証を行い、会員であることが認証できた場合に、投票を行う場を選択させる画面を携帯電話機１４０１に送信する。
【０００８】
その画面を受信した携帯電話機１４０１は、それを表示装置上に表示させる。それにより、ユーザはキー操作により場を選択する（ステップＳＴ１６０１）。その場を選択することにより、携帯電話機１４０１は投票ベット入力用の画面を表示させる。このことから、ユーザは次に入力を所望するベットをキー操作に応じて選択する（ステップＳＴ１６０３）。
【０００９】
その選択により、携帯電話機１４０１はベットのコード入力用の画面を選択させる。このため、その画面が表示された後、ユーザはキー操作を行い、コード（投票内容）を入力する（ステップＳＴ１６０３）。そのコード入力は、レース／式別（賭式）／番号／金額の順番に行われる。
【００１０】
コード入力が終了すると、電話機１４０１はユーザが選択したベットにそのコードを配置する形で表示させる。図１５では、１日（土）にレースが開催されるＡ場を選択し、１ベット目を選択し、「０１９９４０１０２０３０４０５０６０７０８０９０１０」を入力した場合の例を示している。
【００１１】
そのようにコードが表示されることで、１件分の投票内容の入力が終了する。このことから、ユーザは、その入力を終了させるか否か判断する（ステップＳＴ１６０４）。入力を終了させると判断した場合、「入力終了」ボタンをクリックして入力を終了させ、入力した投票内容をＷｅｂサーバ１４０２に送信させる（ステップＳＴ１６０５）。入力を継続させると判断した場合には、ステップＳＴ１６０２に戻る形でベットの選択を行う。
【００１２】
他方のＷｅｂサーバ１４０２は、携帯電話機１４０１から送信された投票内容を受信し（ステップＳＳ１６０１）、各ベットの投票内容を順次、確認する（ステップＳＳ１６０２、ＳＳ１６０３）。その確認が全て終了すると、その確認結果を携帯電話機１４０１に送信する（ステップＳＳ１６０４）。
【００１３】
投票内容を送信させた後のユーザは、携帯電話機１４０１が確認結果をＷｅｂサーバ１４０２から受信し、それを表示させるのを待って確認を行い、入力以上の有無を判断する（ステップＳＴ１６０６〜ＳＴ１６０８）。それにより、入力異常が無いと判断すると、「送信」ボタンをクリックして投票内容（データ）をＷｅｂサーバ１４０２に送信させる（ステップＳＴ１６０９）。入力異常が有ると判断すると、ステップＳＴ１６０２に戻る形でベットの選択を行う。
【００１４】
投票データが送信されたＷｅｂサーバ１４０２は、それを受信し（ステップＳＳ１６０５）、そのデータが示す投票内容で投票券を携帯電話機１４０１のユーザ名義で購入し、その結果を携帯電話機１４０１に送信する（ステップＳＳ１６０６）。
【００１５】
携帯電話機１４０１は、その結果を受信すると、「投票内容を受付ました」のメッセージとともに投票内容を配置した画面を表示させる。ユーザは、その画面から投票結果を確認する（ステップＳＴ１６１０）。
【００１６】
【特許文献１】
特開２００２−０６３３０６号公報
【特許文献２】
特開２００２−２６００４３号公報
【特許文献３】
特開２００１−１３４６９０号公報
【００１７】
【発明が解決しようとする課題】
上述したように、端末装置を用いた従来の投票は、投票を所望するレース競技が行われる場を選択した後、レース／式別（賭式）／番号／金額、をその順序通りにコード入力することで行うようになっていた。しかし、特に式別コードは複雑なために覚えにくい。コードを入力する順番も決まっており、入力すべきコードは式別コードによって大きく変化する。このようなことから、マニュアルを見ながら入力を行っている人が多いのが実情となっている。
【００１８】
端末装置を用いた投票は、どこでも投票を行えるという利点がある。マニュアルを見ながら入力を行うような人は、そのマニュアルがなければ投票を行うことができない。つまり、マニュアルがなければその利点を得られない。これは大きな制約である。このことから、その利点をより多くの人が得られるようにするためには、投票をより容易、即ち投票内容の入力をより容易に行えるようにすることが重要であると考えられる。
【００１９】
本発明の目的は、端末装置を用いた投票をより容易に行えるようにするための技術を提供することにある。
【００２０】
【課題を解決するための手段】
本発明の端末装置は、競馬や競輪等のレース競技のレース結果に対する投票を行えるものであり、投票の投票内容を指定するうえで定められた項目の選択肢を項目別に提示する選択肢提示手段と、選択肢提示手段が項目別に提示する選択肢のなかから所望の選択肢をユーザに選択させる選択手段と、選択手段により各項目で選択された選択肢を投票内容として投票を行う投票手段と、を具備する。
【００２１】
なお、上記選択肢提示手段は、選択手段により既に選択された項目の選択肢を基に、提示すべき選択肢を項目毎に特定して提示する、ことが望ましい。また、開催されるレース競技の投票に係わる開催情報を基に、提示すべき選択肢を項目毎に特定して提示する、ことが望ましい。選択肢提示手段が選択肢を提示する項目として、少なくとも賭式を含む、ことが望ましい。
【００２２】
本発明のプログラムは、競馬や競輪等のレース競技のレース結果に対する投票を端末装置に行わせるために実行させることを前提とし、投票の投票内容を指定するうえで定められた項目の選択肢を項目別に提示する機能と、提示する機能により項目別に提示する選択肢のなかから所望の選択肢をユーザに選択させる機能と、選択させる機能により各項目で選択された選択肢を投票内容として投票を行う機能と、を実現させる。
【００２３】
本発明では、投票の投票内容を指定するうえで定められた項目の選択肢を項目別に提示し、項目別に提示する選択肢のなかから所望の選択肢をユーザに選択させて投票内容を入力させ、投票を行う。その選択肢を項目別に提示することにより、投票内容を容易に入力できるようになる。その結果、投票もより容易に行えるようになる。
【００２４】
【発明の実施の形態】
以下、本発明の実施の形態について、図面を参照しながら詳細に説明する。
図１は、本実施の形態による端末装置を用いた投票を行うための仕組みを説明する図である。その端末装置として携帯電話機１１を図示しているが、パーソナルコンピュータやＰＤＡ（Ｐｅｒｓｏｎａｌ  Ｄｉｇｉｔａｌ  Ａｓｓｉｓｔａｎｔｓ  ）などであっても良い。
【００２５】
その携帯電話機１１は、投票Ｗｅｂサーバ１２、及び場内若しくは場外に設置された自動発売機１３に対して投票を行えるようになっている。その投票は、Ｗｅｂサーバ１４のアプリケーション・プログラム（以降「アプリ」と略記）をダウンロードできるホームページ１４ａから、その投票用に開発されたアプリをダウンロードし、それを起動させることで行えるようにさせている。それにより、本実施の形態による携帯電話機（端末装置）１１は、そのアプリをダウンロードすることで実現できるようになっている。以降、特に断らない限り、「アプリ」とはそれを指す意味で用いることにする。
【００２６】
投票Ｗｅｂサーバ１２、及びＷｅｂサーバ１４は共に、インターネットを介して接続される端末装置のユーザを対象にサービスを提供するものである。携帯電話機１１とは、携帯電話網、及びそのインターネットを介して接続される。しかし、自動発売機１３とは、例えば赤外線で直接、通信を行うようになっている。つまり、自動発売機１３での投票は、その設置場所で行って行わせるようにしている。
【００２７】
そのような投票が行える携帯電話機１１は、図２に示すように、電話機１１全体の制御を行うＣＰＵ２１と、携帯電話網を介した通信を行うための電話通信制御部２２と、インターネットを介した通信を行うためのインターネット通信制御部２３と、赤外線による通信を行うためのＩｒＤＡ通信制御部２４と、例えば液晶表示装置（ＬＣＤ）である表示装置２５と、それに画像を表示させる制御を行う画面表示制御部２６と、各種のキーからなるキー群２７と、キー群２７への操作に応じたデータ入力を実現させるキー入力制御部２８と、時間を計時して時計として機能する日付時計制御部２９と、ＣＰＵ２１がワーク用に使用するＲＡＭ３０と、新たに保存すべきデータを保存できるＲＯＭ３１と、を備えて構成されている。
【００２８】
そのＲＯＭ３１には、ＣＰＵ２１が実行すべきプログラムが予め格納されている。Ｗｅｂサーバ１４からダウンロードしたアプリはそのＲＯＭ３１に格納されて保存される。
【００２９】
アプリをダウンロードさせていない携帯電話機１１のユーザは、自動発売機１３にて投票を行う場合、基本的には以下のような流れでその投票を行う。その説明は、便宜的に勝馬投票券を購入するための投票であるとの前提で行うこととする。他の種類のレース競技であっても基本的には同じである。
【００３０】
先ず、ユーザは、携帯電話機１１をホームページ１４ａにアクセスさせてアプリをダウンロードする。このとき、Ｗｅｂサーバ１４は、図３に示すテーブル群を併せてダウンロードする。そのテーブル群は、アプリと同じくＲＯＭ３１に格納される。
【００３１】
本実施の形態では、投票内容として指定すべき項目毎に、その項目で選択可能な選択肢を提示して選択させるようにしている。図３に示すテーブル群は、その選択肢を提示するためのものである。場の選択肢を格納した場テーブル、レース番号の選択肢を格納したレーステーブル、式別（賭式）の選択肢を格納した式別テーブル、方式（モード）の選択肢を格納した方式テーブル、及び番号の選択肢を格納した組番テーブル、から構成されている。
【００３２】
式別テーブルでの選択肢、方式テーブルでの選択肢、及び組番テーブルでの選択肢は、それぞれ対応づけている。そのようにして、式別テーブルで選択した選択肢では選択できない方式（モード）や番号を提示しないようにさせている。このため、誤った方式や番号をユーザが入力（選択）するようなことは確実に回避される。
【００３３】
アプリをダウンロードしたユーザは次に、年間開催情報を取得させる。その開催情報とは、今年１年間、場で開催されるレースに係わる情報である。例えば図４に示すように、レースが開催される場の数、その場、その場でのレース数などが開催年月日別にまとめられたものである。本実施の形態では、その開催情報を取得する機能をアプリに搭載しており、そのアプリは、ユーザの指示に応じて、例えば投票Ｗｅｂサーバ１２からその開催情報を取得する。なお、図４に示す開催情報は、ＲＯＭ３１に保存された状態のものである。
【００３４】
携帯電話機１１にダウンロードされたアプリは、図３に示すテーブル群で格納された選択肢のなかで提示する選択肢を、取得された開催情報に応じて限定する。つまり、入力可能な投票内容の範囲を必要に応じて狭める。例えば日付時計制御部２９が計時している日時から、投票が行えるレースを開催している場を特定し限定する。それにより、投票が行えるレースを開催している場のなかから投票を所望する場をユーザに選択させる。
【００３５】
選択肢の提示は、選択可能な選択肢を配置したリストボックスを表示させることで行うようになっている。図６（ａ）〜（ｇ）に示す各リストボックスはその表示例である。その図６（ａ）〜（ｇ）に示す各リストボックスのなかで、図６（ａ）、（ｂ）は選択肢が限定された場合のものである。図６（ａ）の場の選択肢を配置したリストボックスでは、図３の場テーブルの選択肢からＤ〜Ｈ場が省かれている。図６（ｂ）のレースの選択肢を配置したリストボックスでは、図３のレーステーブルの選択肢から前９、前１０が省かれている。図６（ｄ）〜（ｆ）に示すように、方式選択用のリストボックスに配置された選択肢は、選択された式別に合ったものとなっている。
【００３６】
図６に示すように、リストボックス内に配置した選択肢のなかから所望のものを選択させて投票内容（データ）を入力させることから、複雑なコードなどを覚えたり、或いはマニュアルを見たりすることなく、ユーザは投票データを容易に入力することができる。その選択肢は、選択可能なものに限定しているため、その入力は適切に行うことができる。これらのことから、投票はより容易に行えることとなる。また、Ｗｅｂサーバ１２から投票データの確認結果を受信する必要はないことから、有料の通信ネットワークを使用した投票では、その通信費用をより抑えられるようになる。
【００３７】
投票内容の入力は、アプリを起動させて行う。ユーザは、アプリを起動させた後、必要に応じて上記年間開催情報の取得を指示してそれを取得させてから入力を行う。その投票内容の入力は、以下のようにして行われる。図７〜図１０に示す画面を参照して具体的に説明する。
【００３８】
アプリは、起動されると、図７（ａ）に示す初期画面を表示装置２５に表示させる。その画面上の「投票開始」ボタンがクリックされると、次に図７（ｂ）に示す投票データ一覧画面を表示させる。入力済みの投票データ（内容）があれば図７（ｂ１）に示すような画面を、それが無ければ図７（ｂ２）に示すような画面を表示させる。
【００３９】
図７（ｂ）に示す何れかの画面で「新規に投票」ボタンがクリックされると、次に図９（ａ）に示す初期投票入力画面を表示させる。その画面には、「場名」「式別」「レース」「方式」が予め配置されたボックスが用意されている。各ボックスには、リストボックス表示用のドロップダウンボタン（以下「ダウンボタン」と略記）が配置されている。そのダウンボタンをクリックすると、それが配置されたボックス、更には他のボックスで選択された内容に応じて、例えば図６（ａ）〜（ｇ）に示すようなリストボックスが表示される。
【００４０】
場名として「Ａ場」、レースとして「２」、式別として「馬連」、方式として「通常」を選択すると、図９（ｂ）に示す画面が新たに表示される。その画面上で「組番」が配置されたボックスをクリックすると、図１０（ａ）に示す投票データ組番入力画面に遷移する。それにより、２つの馬番の入力を促す。それらの入力は、ダウンボタンをクリックして表示されるリストボックス内の選択肢のなかから所望の選択肢を選択することで行う。それらを入力した後、「確定」ボタンをクリックすると、図９（ｄ）に示す画面に遷移し、金額はここで入力する。図９（ｄ）に示す例では、金額として「１０」が入力されている。購入したいベットが他にもある場合には、次のベットの組番を選択し、同様にして入力を行う。購入したいベットが無い場合には、「登録」ボタンをクリックする。そのクリックにより、図７（ｂ１）に示すような画面が表示される。その画面に配置された「Ａ場２Ｒ馬連  通常」ボタンは、入力された投票データの内容を表している。そのようなボタンが、投票データを入力する度に追加される。なお、選択した式別や方式によっては、図１０（ｂ）、或いは（ｃ）に示すような投票データ組番入力画面が表示される。
【００４１】
入力された投票データは、例えばＲＡＭ３０に保存する。その投票データは、図５に示すように保存される。本実施の形態では、最大で２０件の投票データを保存するようにさせている。
【００４２】
そのように追加されるボタンをクリックすると、それに対応する投票データの詳細を示す図８のような詳細画面が表示される。そのボタンが図７（ｂ１）に示す画面上のボタンであれば、図８（ａ）に示す詳細画面が次に表示される。方式が「流し」或いは「ボックス」であれば、図８（ｂ）に示すような詳細画面が次に表示される。
【００４３】
ここで「次へ」ボタンをクリックすると、その次の件の詳細画面が表示され、「前へ」ボタンをクリックすると、その前の件の詳細画面が表示される。「一覧」ボタンをクリックすると、図７（ｂ）に示すような投票データ一覧画面を表示させる。その画面上の「送信」ボタンへのクリックにより、入力された全ての投票データが送信される。その送信は、投票Ｗｅｂサーバ１２、及び自動発売機１３の何れかに対して行う。
【００４４】
次に、上述したように投票データの入力を含む投票を実現させる携帯電話機１１の動作について、図１１〜図１３に示す各種フローチャートを参照して詳細に説明する。
【００４５】
図１１は、投票を行う場合に携帯電話機１１が実行する処理の流れを示すフローチャートである。ユーザの指示に応じて実行する処理を抜粋してその流れの例を示したものである。始めに図１１を参照して、携帯電話機１１が実行する処理について詳細に説明する。なお、その図１１に示すフローチャートは、携帯電話機１１のＣＰＵ２１が、ＲＯＭ２１に予め格納されたプログラム、及びアプリを実行することで実現される。
【００４６】
先ず、ステップＳ１では、ユーザのキー群２７への操作により、アプリを起動させる。続くステップＳ２では、その起動により図７（ａ）に示す画面を表示させる。その後に移行するステップＳ３では、年間開催情報の取得が指示されたか否か判定する。その画面上の「年間開催情報の取得」ボタンをユーザがクリックした場合、判定はＹＥＳとなってステップＳ４に移行する。そうでない場合には、判定はＮＯとなってステップＳ９に移行する。
【００４７】
ステップＳ４では、そのクリックにより年間開催情報の取得を処理対象として選択し、次のステップＳ５でその情報を投票Ｗｅｂサーバ１２に要求して受信する。その後に移行するステップＳ６では、その受信が正常に行えたか否か判定する。情報の受信が正常に行えなかった場合、判定はＮＯとなってステップＳ７に移行し、その旨を表示装置２５上に表示させる。一方、そうでない場合には、即ち開催情報を正常に受信できた場合には、判定はＹＥＳとなってステップＳ８に移行する。
【００４８】
ステップＳ８では、サーバ１２から受信した開催情報を図４に示すようにＲＯＭ３１に格納する。その次のステップＳ９では、ユーザが「投票開始」ボタンをクリックすると、そのクリックに対応する処理を行う。その後は、日付時計制御部２９が計時している日時、年間開催情報により、投票可能な場以外を選択肢としてリストボックスに配置させないように、或いはスクロール表示の対象としないように設定し（ステップＳ１０）、更にその日時、年間開催情報により、投票可能なレース以外を選択肢としてリストボックスに配置させないように、或いはスクロール表示の対象としないように設定する（ステップＳ１１）。その後に、ユーザに投票を行わせるための処理を実行する（ステップＳ１２）。
【００４９】
上記ステップＳ１１、Ｓ１２の処理を実行することにより、場名選択用のリストボックスに配置される場名は図６（ａ）に示すように、レース選択用のリストボックスに配置されるレース番号は図６（ｂ）に示すようにそれぞれ必要に応じて限定されることになる。そのような限定を行うことにより、より少ない選択肢のなかから所望の選択肢をユーザに選択させることになるために、その選択をより迅速に行わせることができるようになる。
【００５０】
図１２、及び図１３は、ステップＳ１２の処理で実行される処理の流れの例を示すフローチャートである。ユーザの指示に応じて実行する処理を抜粋してその流れの例を示したものである。次に図１２、及び図１３を参照して、投票を行おうとするユーザの指示に応じて携帯電話機１１が実行する処理について詳細に説明する。
【００５１】
先ず、ステップＳ２１では、図７（ｂ１）、或いは（ｂ２）に示すような投票データ一覧画面を投票データ入力画面として表示装置２５に表示させる。その画面上の「新規に登録」ボタンをユーザがクリックすると、例えば図９（ａ）に示す初期投票入力画面を表示装置２４に表示させる（ステップＳＳ２２、ＳＳ２３）。その画面上において、場名として「Ａ場」、レースとして「２」、式別として「馬連」、方式として「通常」を順次、選択すると、選択された内容を順次、表示させるとともに、選択された内容を投票データの一部としてＲＯＭ３１に順次、格納する（ステップＳ２４〜Ｓ３４）。方式として選択された「通常」を示すデータをＲＯＭ３１に格納した後には、例えば図９（ｂ）に示すような投票データ入力画面を表示装置２５に表示させる（ステップＳ３５）。なお、ここでの投票データの格納先は、ワーク用に確保した領域（以降「投票データ格納領域」と呼ぶ。それの保存用に確保した領域は「投票データ保存領域」と呼ぶことにする）である。
【００５２】
その画面上において、１ベット目の「組番」を選択し、更に「馬番１」として「０１」、「馬番２」として「０２」、１ベット目の「金額」、を順次、選択すると、同様にして、選択された内容を順次、表示させるとともに、選択された内容を投票データの一部としてＲＯＭ３１に順次、格納する（ステップＳ３６〜Ｓ４４）。１ベット目の「金額」、が選択された後は、テキスト入力画面を表示させる（ステップＳ４５）。
【００５３】
そのテキスト入力画面を表示させている間、キー群２７へのユーザの操作により指示されたデータ入力を行い、入力したデータの確定を指示するのを待って、そのデータを投票データの一部としてＲＯＭ３１に格納する（ステップＳ４６）。その後は、入力したデータを表示させるために、投票データ入力画面の再表示を行う（ステップＳ４７）。それにより、例えば図９（ｄ）に示すような投票データ入力画面が表示される。
【００５４】
その入力画面を表示させた後、ユーザが更にベットの「組番」を選択すると、そのベットの入力を行わせる（ステップＳ４７→Ｓ４８→Ｓ３６）。その選択を行わなければ、つまり「登録」ボタンをクリックすれば、投票データ格納領域に一時的に格納した投票データを投票データ保存領域にコピーする（ステップＳ４７→Ｓ４８→Ｓ４９、Ｓ５０）。その後は例えば図７（ｂ１）に示すような投票データ一覧画面を表示装置２５に表示させる（図１３のステップＳ５１）。
【００５５】
その一覧画面上の「新規に投票」ボタンをユーザがクリックすると、ユーザに次の投票を行わせる（ステップＳ５２→図１２のステップＳ２２）。そのボタンをクリックする代わりに、投票内容が表記されたボタンをクリックすると、そのボタンに対応する投票データを投票データ保存領域から読み出し、例えば図８（ａ）或いは（ｂ）に示すような投票データ詳細画面を作成して表示装置２５に表示させる（ステップＳ５２→Ｓ５３〜Ｓ５５）。
【００５６】
その詳細画面で示された内容の修正を望むユーザは、「修正」ボタンをクリックする。そのクリックが行われた場合、投票データを配置した形の投票データ入力画面を表示させ、ユーザに修正させる（ステップＳ５６→Ｓ５７〜Ｓ５９）。その修正が終了した後に、「登録」ボタンをクリックさせる（ステップＳ５９→図１２のステップＳ４９）。
【００５７】
一方、詳細画面で示された内容の修正を望まないユーザは、「一覧」ボタンをクリックする。そのクリックが行われた場合、例えば図７（ｂ１）に示すような投票データ一覧画面を表示させる（ステップＳ５９→Ｓ６０、Ｓ６１）。
【００５８】
その一覧画面上の「送信」ボタンをユーザがクリックすると、投票データ保存領域に保存されている投票データ（図５参照）を、投票Ｗｅｂサーバ１２、或いは自動発売機１３を送信先として送信する（ステップＳ６２、Ｓ６３）。その送信を行った後は、送信先から送信結果を受け取るのを待って、送信が正常に行われたか否か判定する（ステップＳ６３）。その送信が正常に行われなかった場合、判定はＮＯとなってその旨を表示装置２５により通知する（ステップＳ６４→Ｓ６５）。そうでない場合には、即ちその送信が正常に行えた場合には、判定はＹＥＳとなり、二重投票防止のために投票データ保存領域に保存されている全投票データをクリアし、図７（ｂ２）に示す投票データ一覧画面を表示装置２５に表示させる（ステップＳ６４→Ｓ６６、Ｓ６７）。アプリは、その画面上の「終了」ボタンをユーザがクリックすることで終了させる（ステップＳ６８、Ｓ６９）。
【００５９】
なお、本実施の形態では、場、レース、式別、方式、番号、の各項目で選択可能な選択肢を提示しているが、そのうちの何れかを選択肢を提示する対象としないようにしても良い。アプリのようなプログラムについては、ＣＤ−ＲＯＭ、ＤＶＤ、メモリカード、或いは光磁気ディスク等の記録媒体に記録させて配布しても良い。
【００６０】
（付記１）    競馬や競輪等のレース競技のレース結果に対する投票を行える端末装置において、
前記投票の投票内容を指定するうえで定められた項目の選択肢を項目別に提示する選択肢提示手段と、
前記選択肢提示手段が項目別に提示する選択肢のなかから所望の選択肢をユーザに選択させる選択手段と、
前記選択手段により各項目で選択された選択肢を前記投票内容として前記投票を行う投票手段と、
を具備することを特徴とする端末装置。
【００６１】
（付記２）    前記選択肢提示手段は、前記選択手段により既に選択された項目の選択肢を基に、提示すべき選択肢を前記項目毎に特定して提示する、
ことを特徴とする付記１記載の端末装置。
【００６２】
（付記３）    前記選択肢提示手段は、開催される前記レース競技の投票に係わる開催情報を基に、提示すべき選択肢を前記項目毎に特定して提示する、
ことを特徴とする付記１、または２記載の端末装置。
【００６３】
（付記４）    前記選択肢提示手段が選択肢を提示する項目として、少なくとも賭式を含む、
ことを特徴とする付記１、２、または３記載の端末装置。
【００６４】
（付記５）    前記開催情報は、外部装置から直接、或いは通信ネットワークを介して取得する、
ことを特徴とする付記３、または４記載の端末装置。
【００６５】
（付記６）    前記端末装置は携帯電話機である、
ことを特徴とする付記１〜５の何れか１項に記載の端末装置。
（付記７）    競馬や競輪等のレース競技のレース結果に対する投票を端末装置に行わせるために実行させるプログラムであって、
前記投票の投票内容を指定するうえで定められた項目の選択肢を項目別に提示する機能と、
前記提示する機能により項目別に提示する選択肢のなかから所望の選択肢をユーザに選択させる機能と、
前記選択させる機能により各項目で選択された選択肢を前記投票内容として前記投票を行う機能と、
を実現させるためのプログラム。
【００６６】
（付記８）    前記プログラムは、携帯電話機を前記端末装置として、通信ネットワークを介して送信されるプログラムである、
ことを特徴とする付記７記載のプログラム。
【００６７】
【発明の効果】
以上、説明したように本発明は、投票の投票内容を指定するうえで定められた項目の選択肢を項目別に提示し、項目別に提示する選択肢のなかから所望の選択肢をユーザに選択させて投票内容を入力させ、投票を行う。その選択肢を項目別に提示することにより、投票内容は容易に入力できるようになる。その結果、投票もより容易に行うことができる。
【図面の簡単な説明】
【図１】本実施の形態による端末装置を用いた投票を行うための仕組みを説明する図である。
【図２】本実施の形態による端末装置（携帯電話機）の構成を示す図である。
【図３】項目の選択肢を提示するためのテーブル群を説明する図である。
【図４】年間開催情報の内容を説明する図である。
【図５】保存された投票データの構成を説明する図である。
【図６】選択肢を選択させるために表示されるリストボックスを説明する図である。
【図７】投票を行う場合に表示される画面を説明する図である（その１）。
【図８】投票を行う場合に表示される画面を説明する図である（その２）。
【図９】投票を行う場合に表示される画面を説明する図である（その３）。
【図１０】投票を行う場合に表示される画面を説明する図である（その４）。
【図１１】投票を行う場合に携帯電話機が実行する処理の流れを示すフローチャートである。
【図１２】図１１のステップＳ１２の処理で実行される処理の流れの例を示すフローチャートである。
【図１３】図１１のステップＳ１２の処理で実行される処理の流れの例を示すフローチャートである（続き）。
【図１４】端末装置を用いて行われる投票のための仕組みを説明する図である。
【図１５】携帯電話機を投票Ｗｅｂサーバにアクセスさせた場合に表示される画面の遷移を説明する図である。
【図１６】携帯電話機を投票Ｗｅｂサーバにアクセスさせた場合に、携帯電話機のユーザが行う操作フロー、及びその操作フローによって投票Ｗｅｂサーバが実行する処理フローを示す図である。
【符号の説明】
１１    携帯電話機
１２    投票Ｗｅｂサーバ
１３    自動発売機
１４    Ｗｅｂサーバ
１４ａ  ホームページ
２１    ＣＰＵ
２３    インターネット通信制御部
２４    ＩｒＤＡ通信制御部
２５    表示装置
２６    画面表示制御部
２７    キー群
２８    キー入力制御部
３０    ＲＡＭ
３１    ＲＯＭ
【図１】
2004246428.tif 000003
【図２】
2004246428.tif 000004
【図３】
2004246428.tif 000005
【図４】
2004246428.tif 000006
【図５】
2004246428.tif 000007
【図６】
2004246428.tif 000008
【図７】
2004246428.tif 000009
【図８】
2004246428.tif 000010
【図９】
2004246428.tif 000011
【図１０】
2004246428.tif 000012
【図１１】
2004246428.tif 000013
【図１２】
2004246428.tif 000014
【図１３】
2004246428.tif 000015
【図１４】
2004246428.tif 000016
【図１５】
2004246428.tif 000017
【図１６】
2004246428.tif 000018